(57)【要約】  電子機器に関する機器情報を記憶する問合先システム（３０）に関する問合先情報を記憶する管理システム（２０）から、前記問合先情報を取得する問合先情報取得部（１４０）と、前記電子機器の型式に関する型式関連情報を取得する型式関連情報取得部（１２０）と、前記問合先情報及び前記型式関連情報に基づいて、前記問合先情報が示す問合先システム（３０）から、前記機器情報を取得する機器情報取得部（１５０）と、を有する機器情報取得装置（１０）。
2015194051.tif 000002
【特許請求の範囲】
【請求項１】
電子機器に関する機器情報を記憶する問合先システムに関する問合先情報を記憶する管理システムから、前記問合先情報を取得する問合先情報取得部と、
前記電子機器の型式に関する型式関連情報を取得する型式関連情報取得部と、
前記問合先情報及び前記型式関連情報に基づいて、前記問合先情報が示す問合先システムから、前記機器情報を取得する機器情報取得部と、
を有する機器情報取得装置。
【請求項２】
前記問合先情報取得部は、前記管理システムから、ユーザに関するユーザ情報に応じた前記問合先情報を取得する、
請求項１記載の機器情報取得装置。
【請求項３】
前記ユーザ情報は、前記ユーザの所属グループを示す情報を含み、
前記問合せ先情報取得部は、前記管理システムから、前記所属グループに応じた前記問合先情報を取得する、
請求項２に記載の機器情報取得装置。
【請求項４】
前記問合せ先情報取得部は、前記管理システムから、前記ユーザの所属地域に応じた前記問合先情報を取得する、
請求項３に記載の機器情報取得装置。
【請求項５】
前記機器情報取得部は、前記所属地域で提供可能な産業機器に関する前記機器情報を取得する、
請求項４に記載の機器情報取得装置。
【請求項６】
前記機器情報取得部は、
前記問合先システムから、前記型式に関するリストを取得するリスト取得部を更に有し、
前記リスト及び前記型式関連情報に基づいて前記機器情報を取得する、
請求項１〜５の何れかに記載の機器情報取得装置。
【請求項７】
前記機器情報取得装置は、
前記リストが示す型式の中から、ユーザによる指定を受け付ける指定受付部を更に有し、
前記機器情報取得部は、前記ユーザにより指定された型式に基づいて前記機器情報を取得する、
請求項６に記載の機器情報取得装置。
【請求項８】
前記リスト取得部は、過去に取得した前記リストよりも、前記問合先システムから取得可能な前記リストの方が新しいと判定された場合に、前記問合先システムから、新しい当該リストを取得する、
請求項６又は７に記載の機器情報取得装置。
【請求項９】
前記機器情報取得部は、過去に取得した前記機器情報よりも、前記新しいリストに基づいて取得可能な前記機器情報の方が新しいと判定された場合に、前記問合先システムから、新しい当該機器情報を取得する、
請求項８に記載の機器情報取得装置。
【請求項１０】
前記機器情報取得部は、前記型式が正規表現で記載された前記リストに基づいて前記機器情報を取得する、
請求項６〜９の何れかに記載の機器情報取得装置。
【請求項１１】
前記機器情報取得部は、前記問合先システムに、取得すべき前記機器情報の検索を依頼する、
請求項１〜５の何れかに記載の機器情報取得装置。
【請求項１２】
前記型式関連情報は、前記電子機器の個体識別情報であり、
前記機器情報取得部は、前記個体識別情報に基づいて、前記管理システムから、前記型式を示す情報を取得する型式情報取得部を含む、
請求項１〜１１の何れかに記載の機器情報取得装置。
【請求項１３】
前記型式関連情報は、前記型式を示す、
請求項１〜１１の何れかに記載の機器情報取得装置。
【請求項１４】
前記型式関連情報取得部は、二次元コードに含まれる前記型式関連情報を取得する、
請求項１〜１３の何れかに記載の機器情報取得装置。
【請求項１５】
前記管理システムと、
前記問合先システムと、
請求項１〜１４の何れかに記載の機器情報取得装置と、
を有する機器情報取得システム。
【請求項１６】
電子機器に関する機器情報を記憶する問合先システムに関する問合先情報を記憶する管理システムから、前記問合先情報を取得し、
前記電子機器の型式に関する型式関連情報を取得し、
前記問合先情報及び前記型式関連情報に基づいて、前記問合先情報が示す問合先システムから、前記機器情報を取得する、
機器情報取得方法。
【請求項１７】
電子機器に関する機器情報を記憶する問合先システムに関する問合先情報を記憶する管理システムから、前記問合先情報を取得する問合先情報取得部、
前記電子機器の型式に関する型式関連情報を取得する型式関連情報取得部、
前記問合先情報及び前記型式関連情報に基づいて、前記問合先情報が示す問合先システムから、前記機器情報を取得する機器情報取得部、
としてコンピュータを機能させるためのプログラム。
【請求項１８】
請求項１７に記載のプログラムを記憶したコンピュータ読み取り可能な情報記憶媒体。
【発明の詳細な説明】
【技術分野】
【０００１】
本発明は、機器情報取得装置、機器情報取得システム、機器情報取得方法、プログラム、及び情報記憶媒体に関する。
【背景技術】
【０００２】
特許文献１には、ユーザが電子機器のメンテナンスを行うために、電子機器にコンピュータを接続して、当該電子機器に関する各種情報を表示させるためのシステムが記載されている。
【先行技術文献】
【特許文献】
【０００３】
【特許文献１】特開２０１１−２２９３５９号公報
【発明の概要】
【発明が解決しようとする課題】
【０００４】
本発明が解決しようとする課題は、所望の電子機器に関する機器情報を適切な問合先システムから取得することである。
【課題を解決するための手段】
【０００５】
本発明の一側面に係る機器情報取得装置は、電子機器に関する機器情報を記憶する問合先システムに関する問合先情報を記憶する管理システムから、前記問合先情報を取得する問合先情報取得部と、前記電子機器の型式に関する型式関連情報を取得する型式関連情報取得部と、前記問合先情報及び前記型式関連情報に基づいて、前記問合先情報が示す問合先システムから、前記機器情報を取得する機器情報取得部と、を有する。【０００６】
また、本発明の一側面に係る機器情報取得装置では、前記問合先情報取得部は、前記管理システムから、ユーザに関するユーザ情報に応じた前記問合先情報を取得してよい。【０００７】
また、本発明の一側面に係る機器情報取得装置では、前記ユーザ情報は、前記ユーザの所属グループを示す情報を含み、前記問合せ先情報取得部は、前記管理システムから、前記所属グループに応じた前記問合先情報を取得してよい。【０００８】
また、本発明の一側面に係る機器情報取得装置では、前記問合せ先情報取得部は、前記管理システムから、前記ユーザの所属地域に応じた前記問合先情報を取得してよい。【０００９】
また、本発明の一側面に係る機器情報取得装置では、前記機器情報取得部は、前記所属地域で提供可能な産業機器に関する前記機器情報を取得してよい。【００１０】
また、本発明の一側面に係る機器情報取得装置では、前記機器情報取得部は、前記問合先システムから、前記型式に関するリストを取得するリスト取得部を更に有し、前記リスト及び前記型式関連情報に基づいて前記機器情報を取得してよい。【００１１】
また、本発明の一側面に係る機器情報取得装置は、前記リストが示す型式の中から、ユーザによる指定を受け付ける指定受付部を更に有し、前記機器情報取得部は、前記ユーザにより指定された型式に基づいて前記機器情報を取得してよい。【００１２】
また、本発明の一側面に係る機器情報取得装置では、前記リスト取得部は、過去に取得した前記リストよりも、前記問合先システムから取得可能な前記リストの方が新しいと判定された場合に、前記問合先システムから、新しい当該リストを取得してよい。【００１３】
また、本発明の一側面に係る機器情報取得装置では、前記機器情報取得部は、過去に取得した前記機器情報よりも、前記新しいリストに基づいて取得可能な前記機器情報の方が新しいと判定された場合に、前記問合先システムから、新しい当該機器情報を取得してよい。【００１４】
また、本発明の一側面に係る機器情報取得装置では、前記機器情報取得部は、前記型式が正規表現で記載された前記リストに基づいて前記機器情報を取得してよい。【００１５】
また、本発明の一側面に係る機器情報取得装置では、前記機器情報取得部は、前記問合先システムに、取得すべき前記機器情報の検索を依頼してよい。【００１６】
また、本発明の一側面に係る機器情報取得装置では、前記型式関連情報は、前記電子機器の個体識別情報であり、前記機器情報取得部は、前記個体識別情報に基づいて、前記管理システムから、前記型式を示す情報を取得する型式情報取得部を含んでよい。【００１７】
また、本発明の一側面に係る機器情報取得装置では、前記型式関連情報は、前記型式を示してよい。【００１８】
また、本発明の一側面に係る機器情報取得装置では、前記型式関連情報取得部は、二次元コードに含まれる前記型式関連情報を取得してよい。【００１９】
また、本発明の一側面に係る機器情報取得システムは、前記管理システムと、前記問合先システムと、上記の何れかの機器情報取得装置と、を有する。【００２０】
また、本発明の一側面に係る機器情報取得方法は、電子機器に関する機器情報を記憶する問合先システムに関する問合先情報を記憶する管理システムから、前記問合先情報を取得し、前記電子機器の型式に関する型式関連情報を取得し、前記問合先情報及び前記型式関連情報に基づいて、前記問合先情報が示す問合先システムから、前記機器情報を取得する。【００２１】
また、本発明の一側面に係るプログラムは、電子機器に関する機器情報を記憶する問合先システムに関する問合先情報を記憶する管理システムから、前記問合先情報を取得する問合先情報取得部、前記電子機器の型式に関する型式関連情報を取得する型式関連情報取得部、前記問合先情報及び前記型式関連情報に基づいて、前記問合先情報が示す問合先システムから、前記機器情報を取得する機器情報取得部、としてコンピュータを機能させる。【００２２】
また、本発明の一側面に係るコンピュータ読み取り可能な情報記憶媒体は、上記のプログラムを記憶している。
【発明の効果】
【００２３】
上記発明によれば、所望の電子機器に関する機器情報を適切な問合先システムから取得することができる。
【図面の簡単な説明】
【００２４】
【図１】本発明の実施形態に係る機器情報取得システムの全体構成の一例を示す図である。
【図２】機器情報取得装置のハードウェア構成の一例を示す図である。
【図３】本発明の実施形態において実現される機能を示す機能ブロック図である。
【図４】リストのデータ格納例を示す図である。
【図５】機器情報取得システムで実行される処理の一例を示す図である。
【図６】機器情報取得システムで実行される処理の一例を示す図である。
【図７】機器情報取得システムで実行される処理の一例を示す図である。
【図８】メニュー画面の一例を示す図である。
【図９】機器情報取得装置の表示部に表示されるウィンドウを示す図である。
【図１０】本発明の変形例において実現される機能を示す機能ブロック図である。
【図１１】本発明の別の変形例において実現される機能を示す機能ブロック図である。
【発明を実施するための形態】
【００２５】
本発明の発明者の見地によれば、これまでは、ユーザが電子機器に関する機器情報を入手するためには、その機器情報を記憶しているシステムを探し出し、更に、そのシステムが記憶する種々の機器情報の中から所望の機器情報も探し出す必要があったため手間がかかっていた。
【００２６】
そこで本発明の発明者は、所望の電子機器に関する機器情報を適切なシステムから取得することについて鋭意研究開発を行った結果、新規かつ独創的な機器情報取得装置等に想到した。以下、かかる機器情報取得装置等を、その実施形態を通じ詳細に説明する。
【００２７】
［本発明の実施の形態に係る機器情報取得システム］
図１は、本発明の実施形態に係る機器情報取得システムの全体構成の一例を示す図である。図１に示すように、本実施形態の機器情報取得システムＳは、機器情報取得装置１０、管理システム２０、及び問合先システム３０を含む。機器情報取得装置１０、管理システム２０、及び問合先システム３０の各々は、ネットワークＮを介してデータ送受信可能に接続される。
【００２８】
なお、本実施形態では、電子機器の一例として、モータ制御装置４０を例に挙げて説明するが、他の種々の電子機器を適用可能である。例えば、コントローラやインバータ等の産業機器であってもよいし、パーソナルコンピュータやスマートフォン等の一般的な電子機器であってもよい。このため、以降の説明における「モータ制御装置４０」の記載は、種々の電子機器に読み替えることができる。
【００２９】
図２は、機器情報取得装置１０のハードウェア構成の一例を示す図である。機器情報取得装置１０は、一般的なコンピュータであり、例えば、携帯端末やパーソナルコンピュータである。機器情報取得装置１０は、制御部１１、記憶部１２、通信部１３、操作部１４、表示部１５、及び撮像部１６を含み、各部はバス１７により接続される。
【００３０】
制御部１１は、一又は複数のＣＰＵ（Ｃｅｎｔｒａｌ  Ｐｒｏｃｅｓｓｉｎｇ  Ｕｎｉｔ）を含む。記憶部１２は、主記憶部（例えば、ＤＲＡＭ等の揮発性メモリ）や補助記憶部（例えば、ハードディスク等の不揮発性メモリ）を含み、各種プログラムやデータを記憶する。制御部１１は、これらプログラムやデータに基づいて各種処理を実行する。通信部１３は、ネットワークカードや各種通信コネクタ等を含み、他の装置との通信を行う。操作部１４は、マウスやキーボード等の入力デバイスである。表示部１５は、液晶ディスプレイや有機ＥＬディスプレイ等であり、制御部１１の指示により各種画面を表示する。撮像部１６は、カメラを含み、ユーザの操作に応じて撮影する。例えば、機器情報取得装置１０は、モータ５０を制御するモータ制御装置４０の保守作業をするために用いられる。
【００３１】
モータ制御装置４０は、制御部（例えば、ＭＰＵ：Ｍｉｃｒｏ  Ｐｒｏｃｅｓｓｉｎｇ  Ｕｎｉｔ）や記憶部（例えば、ＤＲＡＭやＥＥＰＲＯＭ等）を含み、モータ５０を制御するためのパラメータやファームウェア等の設定情報を記憶する。本実施形態では、モータ制御装置４０は、個体識別情報であるシリアル番号を含む二次元コード４１が付与されている。例えば、モータ制御装置４０の筐体に二次元コード４１が印刷されていてもよいし、二次元コード４１が印刷された記録媒体（例えば、紙）が筐体に張り付けられていてもよい。機器情報取得装置１０は、撮像部１６で撮影した二次元コード４１を画像解析して、モータ制御装置４０の個体識別情報であるシリアル番号等を特定することができる。
【００３２】
管理システム２０は、一般的なサーバコンピュータを含む。当該サーバコンピュータは、制御部、記憶部、及び通信部を含み、各部はバスにより接続されている。これらのハードウェア構成は、それぞれ機器情報取得装置１０のものと同様であってよい（ただし、撮像部１６は必ずしも必要でない）。管理システム２０は、各ユーザの個人情報や電子機器に関する各種情報を管理する。管理システム２０は、外部からの要求に応じてこれらの情報を提供する。
【００３３】
問合先システム３０は、一般的なサーバコンピュータを含む。当該サーバコンピュータは、制御部、記憶部、及び通信部を含み、各部はバスにより接続されている。これらのハードウェア構成は、それぞれ機器情報取得装置１０のものと同様であってよい（ただし、撮像部１６は必ずしも必要でない）。本実施形態では、メーカが生産する電子機器は、複数の地域で提供されており、この地域ごとに問合先システム３０が存在する。提供とは、有償での提供（例えば、販売）及び無償での提供（例えば、交換）の両方を含む意味である。ここでは、提供可能な電子機器は、地域ごとに異なる。別の言い方をすれば、各地域で提供可能な電子機器のラインナップが異なる。例えば、Ａ国で提供可能な電子機器が、Ｂ国では、法令による制限や顧客のニーズ等のために提供されないようにしてもよい。
【００３４】
複数の問合先システム３０の各々は、メーカが取り扱う電子機器のうち、当該問合先システム３０に対応する地域で提供可能な電子機器に関する各種情報を管理する。例えば、Ａ国の問合先システム３０Ａは、Ａ国で提供可能な電子機器の機器情報を管理し、Ｂ国の問合先システム３０Ｂは、Ｂ国で提供可能な電子機器の機器情報を管理する。機器情報は、電子機器に関する情報であり、ここでの情報とは、コンピュータが内部でのみ使用するものではなく、適当なディスプレイへの表示や紙への印刷により、人が見てその意味内容を理解することができるようなものを示す。機器情報は、文字列や画像により構成され、例えば、産業機器のマニュアルやメンテナンス情報のような文書である。機器情報は、問合先システム３０に対応する地域の言語で記載されている。
【００３５】
なお、各問合先システム３０は、他の問合先システム３０と管理主体が異なればよく、必ずしも、その問合先システム３０に対応する地域にサーバコンピュータを設置する必要はない。即ち、例えば、問合先システム３０Ａ及び３０Ｂのサーバコンピュータが同じ地域に設置されていてもよい。この場合は、問合先システム３０ＡはＡ国の管理主体による管理下に置かれ、問合先システム３０ＢはＢ国の管理主体による管理下に置かれるようにすればよい。
【００３６】
また、上記説明した各コンピュータの記憶部に記憶されているものとして説明するプログラムや各データは、コンピュータ読み取り可能な情報記憶媒体に記憶されていてもよいし、ネットワークを介して外部装置から取得されるようにしてもよい。更に、各コンピュータのハードウェア構成は上記の例に限られず、一般的に用いられるハードウェアを適用可能である。例えば、各コンピュータは、上記情報記憶媒体を読み取る読取部を含んでいてもよい。
【００３７】
［機器情報取得システムで実現される機能］
図３は、本実施形態において実現される機能を示す機能ブロック図である。
【００３８】
［問合先システムで実現される機能］
問合先システム３０は、情報記憶部３１０、リスト判定部３２０、リスト送信部３３０、及び機器情報送信部３４０を含む。
【００３９】
情報記憶部３１０は、問合先システム３０の記憶部を主として実現される。情報記憶部３１０は、問合先システム３０に対応する地域で提供可能な電子機器に関する各種情報を記憶する。ここでは、情報記憶部３１０が記憶する情報の一例として、リスト及び機器情報について説明する。
【００４０】
図４は、リストのデータ格納例を示す図である。図４に示すように、リストは、電子機器の型式に関連付けて各種の情報をリスト形式で格納したものである。ここで、型式は、電子機器の種類を示す情報であり、例えば、文字や数字等の記号列で示される。ここでの種類とは、電子機器の取り扱い、即ち、操作やメンテナンスが共通するものを一まとめとした分類である。ここで、ある問合せ先システム３０の情報記憶部３１０に記憶されるリストに含まれる型式は、そのリストを管理する問合先システム３０に対応する地域で提供可能な電子機器の型式である。
【００４１】
本実施形態では、リスト中の型式は、正規表現（正則表現）で記載されている。正規表現は、文字列の集合を一つの文字列で表現する方法である。正規表現自体は、公知の種々の表現を適用可能である。ここでは、リストには、型式と、機器情報の所在（例えば、ＵＲＬ）と、が関連付けられている。所在とは、機器情報の格納場所のことである。更に、リストには、当該リストの新しさを示すバージョン情報が関連付けられている。リストの内容が更新されると、バージョン情報も更新される。リストのバージョン情報は、リストのデータと一体であってもよいし、別体であってもよい。なお、リストのデータ形式は、種々のデータ形式であってよく、例えば、ＸＭＬ（Ｅｘｔｅｎｓｉｂｌｅ  Ｍａｒｋｕｐ  Ｌａｎｇｕａｇｅ）形式である。
【００４２】
機器情報は、問合先システム３０の記憶領域のうち、リストが示す所在に記憶されている。ここでは、機器情報にも、当該機器情報の新しさを示すバージョン情報が関連付けられている。機器情報のバージョン情報も、機器情報の内容の更新とともに更新される。なお、各機器情報のバージョン情報は、機器情報と一体であってもよいし、別体であってもよい。また、各機器情報のバージョン情報は、リストに関連付けられていてもよい。
【００４３】
リスト判定部３２０は、問合先システム３０の制御部を主として実現される。リスト判定部３２０は、問合先システム３０のリストと、機器情報取得装置１０が持つリストと、の何れが新しいかを判定する。ここでは、リスト判定部３２０は、問合先システム３０のリストに関連付けられたバージョン情報と、機器情報取得装置１０のリストに関連付けられたバージョン情報と、を比較することになる。
【００４４】
リスト送信部３３０は、問合先システム３０の制御部を主として実現される。リスト送信部３３０は、機器情報取得装置１０にリストを送信する。本実施形態では、リスト送信部３３０は、機器情報取得装置１０のリストよりも、問合先システム３０のリストの方が新しいとリスト判定部３２０が判定した場合に、機器情報取得装置１０にリストを送信する。
【００４５】
機器情報送信部３４０は、問合先システム３０の制御部を主として実現される。機器情報送信部３４０は、機器情報取得装置１０に機器情報を送信する。ここでは、機器情報送信部３４０は、機器情報取得装置１０が持つ機器情報よりも、問合先システム３０の機器情報の方が新しいと機器情報判定部１５４が判定した場合に、機器情報取得装置１０に機器情報を送信する。
【００４６】
［機器情報取得装置で実現される機能］
機器情報取得装置１０は、情報記憶部１１０、型式関連情報取得部１２０、認証部１３０、問合先情報取得部１４０、機器情報取得部１５０、及び指定受付部１６０を含む。
【００４７】
情報記憶部１１０は、記憶部１２を主として実現される。情報記憶部１１０は、モータ制御装置４０に関する各種情報を記憶する。例えば、情報記憶部１１０は、後述する機器情報取得部１５０が取得した機器情報やリスト取得部１５１が取得したリストを記憶する。情報記憶部１１０が記憶する機器情報やリストについても、先述したように、バージョン情報が関連付けられている。なお、本実施形態では、リストには、機器情報に関しては機器情報そのものが格納されているわけではなく、機器情報の所在のみが格納されているので、情報記憶部１１０に記憶されるのは、問合先システム３０が管理する機器情報のうち、後述する機器情報取得部１５０が問合先システム３０から取得した機器情報のみとなる。
【００４８】
型式関連情報取得部１２０は、制御部１１を主として実現される。型式関連情報取得部１２０は、モータ制御装置４０の型式に関する型式関連情報を取得する。型式関連情報は、モータ制御装置４０の型式を示す情報、又は、当該情報を特定するための情報（型式に関連付けられた情報）である。本実施形態では、モータ制御装置４０の個体識別情報であるシリアル番号に基づいて型式を特定可能になっているため、シリアル番号が、型式関連情報に相当する。
【００４９】
また、本実施形態では、型式関連情報取得部１２０は、二次元コード４１に含まれる型式関連情報を取得する。型式関連情報取得部１２０は、撮像部１６が撮影した二次元コード４１を画像解析して、当該二次元コード４１に含まれる型式関連情報を取得する。二次元コード４１の解析方法自体は、公知の種々の手法を適用可能である。
【００５０】
認証部１３０は、制御部１１を主として実現される。認証部１３０は、ユーザが入力したユーザＩＤやパスワードを管理システム２０に送信し、管理システム２０から認証結果を取得する。認証方法は、ユーザＩＤ及びパスワードを使用する方法に限られず、公知の種々の手法を適用可能である。
【００５１】
問合先情報取得部１４０は、制御部１１を主として実現される。問合先情報取得部１４０は、モータ制御装置４０に関する機器情報を記憶する問合先システム３０を特定するための問合先情報を記憶する管理システム２０から、問合先情報を取得する。問合先情報は、問合先システム３０を識別し得る情報であり、例えば、ネットワークＮにおける問合先システム３０の所在を特定するための情報（ＵＲＬやＩＰアドレス等）である。
【００５２】
本実施形態では、問合先情報取得部１４０は、管理システム２０から、ユーザに関するユーザ情報、より具体的には、ユーザ情報に含まれるユーザの所属グループを示す情報（以降、所属情報という。）に応じた問合先情報を取得する。ここでは、問合先情報取得部１４０は、問合先情報送信部２４０（詳細後述）が送信した問合先情報を取得することになる。
【００５３】
機器情報取得部１５０は、制御部１１を主として実現される。機器情報取得部１５０は、問合先情報及び型式関連情報に基づいて、問合先情報が示す問合先システム３０から、機器情報を取得する。機器情報取得部１５０は、問合先システム３０が管理する機器情報のうち、型式関連情報に基づいて定まる機器情報を取得する。ここでは、問合先情報が示す問合先システム３０は、ユーザの所属地域で提供可能な電子機器を管理しているので、機器情報取得部１５０は、当該提供可能な電子機器に関する機器情報を取得することになる。
【００５４】
本実施形態では、機器情報取得部１５０は、問合先システム３０から、型式に関するリストを取得するリスト取得部１５１を有し、リスト及び型式関連情報に基づいて機器情報を取得する。また、機器情報取得部１５０は、情報記憶部１１０に記憶されたリストのバージョン情報を送信するリストバージョン送信部１５２を有する。リスト取得部１５１は、過去に取得したリストよりも、問合先システム３０から取得可能なリストの方が新しいと判定された場合に、問合先システム３０から、新しい当該リストを取得する。
【００５５】
また、機器情報取得部１５０は、機器情報のバージョン情報を取得する機器情報バージョン取得部１５３を有する。更に、機器情報取得部１５０は、問合先システム３０の機器情報と、機器情報取得装置１０の機器情報と、の何れが新しいかを判定する機器情報判定部１５４を有する。ここでは、機器情報判定部１５４は、問合先システム３０の機器情報に関連付けられたバージョン情報（即ち、機器情報取得部１５０が取得したバージョン情報）と、機器情報取得装置１０の機器情報に関連付けられたバージョン情報と、を比較することになる。機器情報取得部１５０は、過去に取得した機器情報（即ち、情報記憶部１１０に記憶された機器情報）よりも、新しいリストに基づいて取得可能な機器情報（即ち、問合せ先システム３０の機器情報）の方が新しいと判定された場合に、問合先システム３０から、新しい当該機器情報を取得する。
【００５６】
また、ここでは、機器情報取得部１５０は、個体識別情報（例えば、シリアル番号）に基づいて、産業機器の型式を管理システム２０から取得する型式取得部１５５を含む。機器情報取得部１５０は、型式取得部１５５が取得した型式に関連付けられた機器情報を取得する。例えば、機器情報取得部１５０は、型式が正規表現で記載されたリストに基づいて機器情報を取得する。即ち、機器情報取得部１５０は、リスト中の正規表現を利用して、型式取得部１５５が取得した型式と一致する型式を検索して、一致する型式に関連付けられた機器情報を取得する。
【００５７】
指定受付部１６０は、制御部１１及び操作部１４を主として実現される。指定受付部１６０は、リストが示す型式の中から、ユーザによる指定を受け付ける。即ち、指定受付部１６０は、リスト中の複数の型式のうちの何れかの指定を受け付けることになる。この場合、機器情報取得部１５０は、ユーザにより指定された型式に基づいて機器情報を取得する。即ち、機器情報取得部１５０は、ユーザにより指定された型式に関連付けられた機器情報を取得する。
【００５８】
［管理システムで実現される機能］
管理システム２０は、情報記憶部２１０、型式送信部２２０、認証許可部２３０、及び問合先情報送信部２４０を含む。
【００５９】
情報記憶部２１０は、管理システム２０の記憶部を主として実現される。情報記憶部２１０は、電子機器に関する各種情報やユーザに関する各種情報を記憶する。例えば、情報記憶部２１０は、シリアル番号と型式の関連付けを記憶する。また例えば、情報記憶部２１０は、ユーザＩＤと所属情報の関連付けや、所属情報と問合せ先情報の関連付けを記憶する。他にも例えば、情報記憶部２１０は、認証情報及びユーザ情報を記憶する。
【００６０】
認証情報は、ユーザが管理システム２０にログインするために必要な情報であり、ユーザを認証するために必要な情報である。ここでは、各ユーザのユーザＩＤ及びパスワードの組み合わせが、認証情報に相当する。
【００６１】
ユーザ情報は、ユーザの所属情報、すなわち、ユーザの所属グループを示す情報を含む。ここで所属グループとは、ユーザの属性を示す情報であり、例えば、ユーザが属する地域（電子機器の販売会社のある地域）、ユーザが属する企業等の組織やその部署等を示す情報である。なお、ユーザ情報は、所属情報の他にユーザＩＤやユーザ名などの個人情報を含むようにしてもよい。
【００６２】
型式送信部２２０は、管理システム２０の制御部を主として実現される。型式送信部２２０は、型式関連情報取得部１２０から取得したシリアル番号に関連付けられた型式を送信することになる。
【００６３】
認証許可部２３０は、管理システム２０の制御部を主として実現される。認証許可部２３０は、ユーザを認証するための認証処理を実行する。ここでは、認証許可部２３０は、機器情報取得装置１０の認証部１３０から取得したユーザＩＤ及びパスワードと、情報記憶部１１０に記憶されたユーザＩＤ及びパスワードと、を比較することで認証を行う。
【００６４】
問合先情報送信部２４０は、管理システム２０の制御部を主として実現される。問合先情報送信部２４０は、ユーザ情報、ここではユーザ情報に含まれるユーザの所属情報に基づいて定まる問合先情報を送信する。ここでは、問合先情報送信部２４０は、ユーザＩＤに関連付けられた所属情報に基づいて、送信すべき問合先情報を特定することになる。即ち、問合先情報送信部２４０は、所属情報に関連付けられた問合先情報を送信する。
【００６５】
［機器情報取得システムで実行される処理］
図５〜図７は、機器情報取得システムＳで実行される処理の一例を示す図である。以降説明する処理は、機器情報取得装置１０、管理システム２０、及び問合先システム３０のそれぞれがプログラムを実行することによって実行される。この処理が実行されることにより、各機能ブロックが実現される。
【００６６】
図５に示すように、まず、機器情報取得装置１０の制御部１１は、記憶部１２に記憶されたアプリケーションを起動して、メニュー画面を表示部１５に表示させる（Ｓ１）。図８は、メニュー画面の一例を示す図である。図８に示すように、メニュー画面６０は、管理システム２０が提供するサービスをユーザが利用するための画面である。例えば、メニュー画面６０には、管理システム２０にログインするためのログインボタン６１、二次元コード４１を読み取るための読み取りボタン６２、及び機器情報を表示させるための機器情報表示ボタン６３が表示される。
【００６７】
機器情報取得装置１０の制御部１１は、操作部１４からのユーザの操作を待ち受ける（Ｓ２）。ユーザがログインボタン６１を選択した場合（Ｓ２；ログインボタン）、機器情報取得装置１０の制御部１１は、ユーザＩＤ及びパスワードを入力するためのフォームを表示部１５に表示させ（Ｓ３）、ユーザが操作部１４から入力したユーザＩＤ及びパスワードを管理システム２０に送信する（Ｓ４）。
【００６８】
管理システム２０の制御部は、ユーザＩＤ及びパスワードを受信すると、認証処理を実行する（Ｓ５）。Ｓ５においては、管理システム２０は、まず、ユーザが入力したユーザＩＤが記憶部に存在するか否かを判定する。ユーザＩＤが記憶部に存在する場合、管理システム２０の制御部は、当該ユーザＩＤに関連付けられたパスワードと、ユーザが入力したパスワードと、が一致するか否かを判定する。
【００６９】
認証が失敗すると（Ｓ５；失敗）、管理システム２０の制御部は、機器情報取得装置１０に、認証が失敗した旨のエラーメッセージを送信する（Ｓ６）。機器情報取得装置１０の制御部１１は、エラーメッセージを受信すると表示部１５に表示させ（Ｓ７）、本処理は終了する。一方、認証が成功すると（Ｓ５；成功）、管理システム２０の制御部は、管理システム２０の記憶部から、ユーザＩＤに関連付けられた所属情報を取得する（Ｓ８）。
【００７０】
管理システム２０の制御部は、管理システム２０の記憶部から、Ｓ８で取得した所属情報に関連付けられた問合先情報を取得する（Ｓ９）。管理システム２０の制御部は、Ｓ９で取得した問合先情報を、機器情報取得装置１０に送信する（Ｓ１０）。なお、問合先情報には、問合先システム３０のＩＰアドレスやＵＲＬ等が格納されている。
【００７１】
機器情報取得装置１０の制御部１１は、問合先情報を受信すると、記憶部１２を参照して、リストが記憶されているか否かを判定する（Ｓ１１）。記憶部１２にリストが記憶されていないと判定された場合（Ｓ１１；Ｎ）、後述するＳ１８の処理に移行して、問合先システム３０からリストが取得される。
【００７２】
一方、記憶部１２にリストが記憶されていると判定された場合（Ｓ１１；Ｙ）、機器情報取得装置１０の制御部１１は、問合先情報が示す問合先システム３０に、記憶部１２に記憶されたリストのバージョン情報を送信する（Ｓ１２）。
【００７３】
問合先システム３０の制御部は、リストのバージョン情報を受信すると、問合先システム３０のリストが、機器情報取得装置１０のリストよりも新しいか否かを判定する（Ｓ１３）。問合先システム３０は、機器情報取得装置１０に、Ｓ１３の判定結果を示す情報を送信する（Ｓ１４）。判定結果を示す情報は、例えば、機器情報取得装置１０のリストが最新であること、又は、問合先システム３０のリストの方が新しいことを示す。
【００７４】
図６に移り、機器情報取得装置１０の制御部１１は、問合先システム３０から受信した判定結果を示す情報を参照する（Ｓ１５）。機器情報取得装置１０のリストが最新である場合（Ｓ１５；最新）、Ｓ２の処理に戻る。
【００７５】
一方、問合先システム３０のリストの方が新しい場合（Ｓ１５；古い）、機器情報取得装置１０の制御部１１は、問合先システム３０のリストをダウンロードするか否かを問い合わせるためのウィンドウを表示部１５に表示させる（Ｓ１６）。図９は、Ｓ１６において表示されるウィンドウを示す図である。図９に示すように、ウィンドウ６４には、最新のリストをダウンロードするか否かを問合せるメッセージとともに、最新のリストをダウンロードせずに操作を継続するためのキャンセルボタン６５と、最新のリストをダウンロードするためのダウンロードボタン６６と、が表示部１５に表示される。
【００７６】
機器情報取得装置１０の制御部１１は、操作部１４からのユーザの操作を待ち受ける（Ｓ１７）。キャンセルボタン６５が選択された場合（Ｓ１７；キャンセルボタン）、Ｓ２の処理に戻る。
【００７７】
一方、ダウンロードボタン６６が選択された場合（Ｓ１７；ダウンロードボタン）、機器情報取得装置１０の制御部１１は、問合先システム３０に、最新のリストのダウンロード要求を送信する（Ｓ１８）。問合先システム３０の制御部は、ダウンロード要求を受信すると、機器情報取得装置１０に、最新のリストを送信する（Ｓ１９）。機器情報取得装置１０の制御部１１は、最新のリストを受信すると、記憶部１２に上書き保存する（Ｓ２０）。
【００７８】
機器情報取得装置１０の制御部１１は、記憶部１２に機器情報が保存されているか否かを判定する（Ｓ２１）。記憶部１２に機器情報が保存されていない場合（Ｓ２１；Ｎ）、Ｓ２の処理に戻る。
【００７９】
一方、記憶部１２に機器情報が保存されている場合（Ｓ２１；Ｙ）、機器情報取得装置１０の制御部１１は、記憶部１２に記憶された機器情報のバージョン情報と、リスト中の機器情報のバージョン情報と、を比較して、問合先システム３０の機器情報が、機器情報取得装置１０の機器情報よりも新しいか否かを判定する（Ｓ２２）。ここでは、リスト中の各機器情報のバージョン情報がリストに関連付けられているものとする。問合先システム３０の機器情報の方が新しいと判定されない場合（Ｓ２２；Ｎ）、Ｓ２の処理に戻る。
【００８０】
一方、問合先システム３０の機器情報の方が新しいと判定された場合（Ｓ２２；Ｙ）、機器情報取得装置１０の制御部１１は、最新の機器情報のダウンロード要求を問合先システム３０に送信する（Ｓ２３）。問合先システム３０の制御部は、ダウンロード要求を受信すると、機器情報取得装置１０に、問合先システム３０の記憶部に記憶された機器情報を送信する（Ｓ２４）。機器情報取得装置１０の制御部１１は、最新の機器情報を受信すると、記憶部１２に上書き保存し（Ｓ２５）、Ｓ２の処理に戻る。このようにすることで、機器情報取得装置１０の記憶部１２に記憶されたリスト及び機器情報が最新のものとなる。
【００８１】
一方、Ｓ２において、ユーザが読み取りボタン６２を選択した場合（Ｓ２；読み取りボタン）、機器情報取得装置１０の制御部１１は、撮像部１６を起動して、モータ制御装置４０の二次元コード４１を読み取る（Ｓ２６）。なお、ユーザがログインを行っていない場合には、Ｓ３の処理に移行するようにしてもよい。
【００８２】
機器情報取得装置１０の制御部１１は、読み取った二次元コード４１に基づいて、モータ制御装置４０のシリアル番号を取得する（Ｓ２７）。図７に移り、機器情報取得装置１０の制御部１１は、管理システム２０に、シリアル番号とともに、モータ制御装置４０の型式を要求する（Ｓ２８）。
【００８３】
管理システム２０の制御部は、要求を受信すると、管理システム２０の記憶部から、シリアル番号に関連付けられた型式を読み出して、機器情報取得装置１０に、当該型式を送信する（Ｓ２９）。機器情報取得装置１０の制御部１１は、型式を受信すると、リスト中の正規表現を利用して、一致する型式を検索する（Ｓ３０）。
【００８４】
一致する型式がある場合（Ｓ３０；Ｙ）、機器情報取得装置１０の制御部１１は、一致した型式の機器情報が記憶部１２に保存されているか否かを判定する（Ｓ３１）。Ｓ３１においては、制御部１１は、一致した型式の機器情報がダウンロード済みであるか否かを判定しているともいえる。機器情報が記憶部１２に保存されていると判定された場合（Ｓ３１；Ｙ）、機器情報取得装置１０の制御部１１は、その機器情報を表示部１５に表示させ（Ｓ３２）、本処理は終了する。
【００８５】
一方、機器情報が記憶部１２に保存されていないと判定された場合（Ｓ３１；Ｎ）、機器情報取得装置１０の制御部１１は、問合先システム３０に、一致した型式の機器情報のダウンロード要求を送信する（Ｓ３３）。Ｓ３３においては、制御部１１は、一致した型式に関連付けられた所在（ＵＲＬ等）へのアクセス要求を送信することになる。
【００８６】
問合先システム３０の制御部は、問合先システム３０の記憶部から、取得要求のあった機器情報を読み出して、機器情報取得装置１０に、当該機器情報を送信する（Ｓ３４）。機器情報取得装置１０の制御部１１は、機器情報を受信すると、記憶部１２に保存し（Ｓ３５）、Ｓ３２の処理に移行する。
【００８７】
一方、一致する型式がない場合（Ｓ３０；Ｎ）、機器情報取得装置１０の制御部１１は、一致する型式が存在しない旨のメッセージを表示させる（Ｓ３６）。その後、Ｓ３７の処理に移行するようにしてもよい。
【００８８】
一方、Ｓ２において、機器情報表示ボタン６３が選択された場合（Ｓ２；機器情報表示ボタン）、機器情報取得装置１０の制御部１１は、記憶部１２に保存されているリストに基づいて、リスト画面を表示部１５に表示させる（Ｓ３７）。リスト画面では、リスト中の型式が選択可能に表示される。なお、ユーザがログインを行っていない場合には、Ｓ３の処理に移行するようにしてもよい。機器情報取得装置１０の制御部１１は、操作部１４からの信号に基づいて、ユーザがリスト画面に表示された型式を選択したか否かを判定する（Ｓ３８）。型式を選択したと判定された場合（Ｓ３８；Ｙ）、Ｓ３１の処理に移行する。
【００８９】
以上説明した機器情報取得装置１０によれば、所望の電子機器に関する機器情報を適切な問合先システム３０から取得することができる。また、機器情報取得システムＳ全体でみれば、電子機器に関する機器情報の管理を問合先システム３０側で行うことで、管理システム２０側で機器情報を管理する手間を省くことができる。その結果、管理システム２０と問合先システム３０の役割分担をすることができる。例えば、管理システム２０において、ユーザ情報や電子機器の基本的な情報を一元管理させ、各問合先システム３０において、その問合先システム３０に応じた機器情報の管理をさせることができるので、各システムのメンテナンスの手間を軽減することができる。
【００９０】
また、機器情報取得装置１０は、ユーザ情報に応じた問合先情報を取得するので、ユーザごとに問合せ先をコントロールすることができる。このため、機器情報取得装置１０は、ユーザに応じた最適な問合先システム３０から、機器情報を取得することができる。特に、機器情報取得装置１０は、ユーザの所属グループに応じた問合先情報を取得するので、ユーザの所属グループごとに問合せ先をコントロールすることができる。このため、ユーザの所属グループに応じた最適な問合せ問合先システム３０から、機器情報を取得することができる。更に、機器情報取得システムＳは、ユーザの所属地域に応じた問合先情報を取得するので、ユーザの所属地域ごとに問合せ先をコントロールすることができる。地域ごとに機器情報の管理を行うことができるので、その地域に応じた言語で機器情報を提供することも容易である。
【００９１】
また、産業機器の機器情報を提供する場合、産業機器は一般的な電子機器と異なり、地域的な法令等による制限が多く、マニュアル等の機器情報も地域毎に詳細に作成することが望まれるという産業機器特有の問題がある。このため、産業機器を複数地域に跨って提供しようとすると、その機器情報の管理コストは、一般的な電子機器における機器情報の管理コストに比べて非常に大きくなりがちである。この点、機器情報取得システムＳによれば、産業機器の機器情報を一元管理することはせず、各問合先システム３０毎の管理主体に分散して管理することができるため、その保守等が容易であり、全体として管理コストを軽減することができる。
【００９２】
また、機器情報取得装置１０は、リストを利用して機器情報を取得することができる。機器情報取得装置１０側で機器情報の所在の検索を実行することで、問合先システム３０でこの検索を実行させる場合に比べて通信回数を減らすことができる。更に、機器情報取得装置１０がリストを利用して機器情報を検索することができるので、問合先システム３０ではリストのメンテナンスさえ行えばよく、情報処理の負荷は小さい。このことは、問合先システム３０側での検索ロジックの実装が不要であり、システムコストが低減できることを意味する。更に、もし仮に問合先システム３０で検索させるような場合は、検索でヒットしなければ何も情報を得ることができない状況が発生するが、機器情報取得装置１０は最低限リストだけは取得できるので、何の情報も得られないような状況を回避することができる。
【００９３】
また、機器情報取得装置１０は、リストに含まれる型式のうち、ユーザが指定した型式に基づいて機器情報を取得することもできるので、リスト中に一致する型式が無かったとしても、ユーザが指定した型式の機器情報を取得することができる。このため、ユーザが何も情報を得られないような状況を回避することができる。あるいは、ユーザの手元に電子機器の実物が無くとも、その形式に基いて必要な情報を得ることもできる。
【００９４】
また、機器情報取得装置１０は、問合先システム３０側のリストの方が新しい場合にリストを取得するので、アプリケーションを起動するたびに問合先システム３０からリストを取得するような場合に比べて、無駄な通信を回避することができる。更に、機器情報取得装置１０は、最新のリストに基づいて機器情報の検索をすることもできる。また、機器情報取得装置１０は、アプリケーションを起動するたびに問合先システム３０からリストを取得する場合に比べて、機器情報の表示までの時間を早めることもできる。
【００９５】
また、機器情報取得装置１０は、問合先システム３０側の機器情報の方が新しい場合に機器情報を取得するので、二次元コード４１を読み取るたびに問合先システム３０から機器情報を取得するような場合に比べて、無駄な通信を回避することができる。更に、機器情報取得装置１０は、最新の機器情報を取得することができる。また、機器情報取得装置１０は、二次元コード４１を読み取るたびに問合先システム３０から機器情報を取得するような場合に比べて、機器情報の表示までの時間を早めることもできる。
【００９６】
また、機器情報取得装置１０は、正規表現を利用して機器情報を検索することで、検索ロジックを簡単にすることができる。更に、問合先システム３０側で複雑な検索ロジックを組まなくて済むので、問合先システム３０側のメンテナンスコストを軽減することができる。更に、正規表現を利用することで、リストのデータ量を軽減することもできる。
【００９７】
また、機器情報取得装置１０側でシリアル番号等の個体識別情報を取得すれば、管理システム２０から型式を取得することができる。その結果、個体識別情報や型式の管理を管理システム２０で一括して行うことができる。また、機器情報取得装置１０は、二次元コード４１を利用して型式関連情報を取得することができるので、型式関連情報を比較的容易に取得することができる。
【００９８】
［変形例］
なお、実施形態では、機器情報取得装置１０が機器情報を検索する場合を説明したが、問合先システム３０側で検索処理を実行するようにしてもよい。この場合、機器情報取得部１５０は、問合先システム３０に、取得すべき機器情報の検索を依頼する。例えば、機器情報取得部１５０は、問合先システム３０に、型式とともに、機器情報の検索要求を送信する。
【００９９】
この変形例では、機器情報送信部３４０は、機器情報取得装置１０から検索要求を受信すると、型式に基づいて機器情報を検索する。機器情報の検索方法自体は、実施形態で説明した方法と同様である。即ち、本変形例でも、機器情報送信部３４０は、リストに記載された正規表現を利用して一致する型式を検索し、一致すると判定された型式に関連付けられた機器情報を送信するようにしてもよい。
【０１００】
上記変形例によれば、問合先システム３０に機器情報の検索をさせるので、機器情報取得装置１０側での処理負担が軽減する。
【０１０１】
また例えば、リストのバージョン情報の判定処理が問合先システム３０で実行される場合を説明したが、この判定処理は、機器情報取得装置１０側で実行してもよい。図１０は、変形例の機能ブロック図である。図１０に示すように、機器情報取得装置１０の機器情報取得部１５０は、リスト判定部３２０を含み、リスト判定部３２０は、機器情報取得装置１０の制御部１１を主として実現される。リスト判定部３２０による判定方法は、実施形態で説明した方法と同様であるが、問合先システム３０は、当該問合先システム３０のリストのバージョン情報を機器情報取得装置１０に送信する。リスト判定部３２０は、問合先システム３０から取得したバージョン情報に基づいて判定処理を実行することになる。
【０１０２】
また例えば、機器情報のバージョン情報の判定処理が機器情報取得装置１０で実行される場合を説明したが、この判定処理は、問合先システム３０側で実行してもよい。図１１は、変形例の機能ブロック図である。この場合、問合先システム３０は、機器情報判定部１５４を含み、機器情報判定部１５４は、問合先システム３０の制御部を主として実現される。機器情報判定部１５４による判定方法は、実施形態で説明した方法と同様であるが、機器情報バージョン取得部１５３は、情報記憶部１１０に記憶された機器情報のバージョン情報を問合先システム３０に送信する。機器情報判定部１５４は、当該送信されたバージョン情報を取得して判定処理を実行することになる。
【０１０３】
また、型式関連情報がシリアル番号である場合を説明したが、型式関連情報は、型式自体を示す情報であってもよい。この場合、機器情報取得装置１０側で産業機器の型式を特定することができる。その結果、型式を特定するための問合せを他のシステムに依頼しなくて済むので、通信回数を減らすことができる。
【０１０４】
また、管理システム２０にログインしている状態が保持されている場合には、メニュー画面６０が表示された時点でＳ１１の処理に移行してもよい。この場合、記憶部１２に問合先情報が記憶されており、機器情報取得装置１０は、問合先システム３０を特定可能な状態になっているものとする。
【０１０５】
また、以上説明した実施形態は具体例として示したものであり、本明細書にて開示される発明をこれら具体例の構成やデータ格納例そのものに限定するものではない。当業者はこれら開示された実施形態に種々の変形、例えば、物理的構成の形状や数、データ構造、処理の実行順を変更したりしてもよい。本明細書にて開示される発明の技術的範囲は、そのようになされた変形をも含むものと理解すべきである。
【図１】
2015194051.tif 000003
【図２】
2015194051.tif 000004
【図３】
2015194051.tif 000005
【図４】
2015194051.tif 000006
【図５】
2015194051.tif 000007
【図６】
2015194051.tif 000008
【図７】
2015194051.tif 000009
【図８】
2015194051.tif 000010
【図９】
2015194051.tif 000011
【図１０】
2015194051.tif 000012
【図１１】
2015194051.tif 000013
【手続補正書】
【提出日】平成28年9月15日(2016.9.15)
【手続補正１】
【補正対象書類名】特許請求の範囲
【補正対象項目名】全文
【補正方法】変更
【補正の内容】
【特許請求の範囲】
【請求項１】
電子機器の型式に応じた複数の機器情報を問合先システム毎に独立して管理する複数の問合先システムの各々に関する問合先情報を記憶する管理システムと、
前記管理システムから、前記問合先情報を取得する問合先情報取得部と、
前記型式に関する型式関連情報を取得する型式関連情報取得部と、
前記問合先情報が示す問合先システムの管理対象となる前記型式に関するリストの中に、前記型式関連情報が示す前記型式が存在するか否かの判定結果に基づいて、前記問合先情報が示す問合先システムから、前記機器情報を取得する機器情報取得部と、
を有する機器情報取得システム。
【請求項２】
前記複数の問合先システムの各々は、自身の管理対象となる前記型式に関する前記リストを記憶し、
前記機器情報取得部は、
前記問合先情報が示す問合先システムから、前記リストを取得するリスト取得部を更に有し、
前記リストの中に前記型式関連情報が示す前記型式が存在するか否かを判定し、存在すると判定した場合に、前記機器情報を取得する、
請求項１に記載の機器情報取得システム。
【請求項３】
前記リストが示す型式の中から、ユーザによる指定を受け付ける指定受付部を更に有し、
前記機器情報取得部は、前記ユーザにより指定された型式に基づいて前記機器情報を取得する、
請求項２に記載の機器情報取得システム。
【請求項４】
前記リスト取得部は、過去に取得した前記リストよりも、前記問合先システムから取得可能な前記リストの方が新しいと判定された場合に、前記問合先システムから、新しい当該リストを取得する、
請求項２又は３に記載の機器情報取得システム。
【請求項５】
前記機器情報取得部は、過去に取得した前記機器情報よりも、前記新しいリストに基づいて取得可能な前記機器情報の方が新しいと判定された場合に、前記問合先システムから、新しい当該機器情報を取得する、
請求項４に記載の機器情報取得システム。
【請求項６】
前記機器情報取得部は、前記型式が正規表現で記載された前記リストに基づいて前記機器情報を取得する、
請求項２〜５の何れかに記載の機器情報取得システム。
【請求項７】
前記機器情報取得部は、前記問合先情報が示す問合先システムに、前記リストの中に前記型式関連情報が示す前記型式が存在するか否かの判定と、存在すると判定された場合の前記機器情報の送信と、を依頼する、
請求項１に記載の機器情報取得システム。
【請求項８】
前記問合先情報取得部は、前記管理システムから、ユーザに関するユーザ情報に応じた前記問合先情報を取得する、
請求項１〜７の何れか記載の機器情報取得システム。
【請求項９】
前記ユーザ情報は、前記ユーザの所属グループを示す情報を含み、
前記問合せ先情報取得部は、前記管理システムから、前記所属グループに応じた前記問合先情報を取得する、
請求項８に記載の機器情報取得システム。
【請求項１０】
前記問合せ先情報取得部は、前記管理システムから、前記ユーザの所属地域に応じた前記問合先情報を取得する、
請求項９に記載の機器情報取得システム。
【請求項１１】
前記機器情報取得部は、前記所属地域で提供可能な産業機器に関する前記機器情報を取得する、
請求項１０に記載の機器情報取得システム。
【請求項１２】
前記型式関連情報は、前記電子機器の個体識別情報であり、
前記機器情報取得部は、前記個体識別情報に基づいて、前記管理システムから、前記型式を示す情報を取得する型式情報取得部を含む、
請求項１〜１１の何れかに記載の機器情報取得システム。
【請求項１３】
前記型式関連情報は、前記型式を示す、
請求項１〜１２の何れかに記載の機器情報取得システム。
【請求項１４】
前記型式関連情報取得部は、二次元コードに含まれる前記型式関連情報を取得する、
請求項１〜１３の何れかに記載の機器情報取得システム。
【請求項１５】
前記複数の問合先システムの少なくとも１つを更に有する、
請求項１〜１４の何れかに記載の機器情報取得システム。
【請求項１６】
電子機器の型式に応じた複数の機器情報を問合先システム毎に独立して管理する複数の問合先システムの各々に関する問合先情報を記憶する管理システムから、前記問合先情報を取得する問合先情報取得部と、
前記型式に関する型式関連情報を取得する型式関連情報取得部と、
前記問合先情報が示す問合先システムの管理対象となる前記型式に関するリストの中に、前記型式関連情報が示す前記型式が存在するか否かの判定結果に基づいて、前記問合先情報が示す問合先システムから、前記機器情報を取得する機器情報取得部と、
を有する機器情報取得装置。
【請求項１７】
電子機器の型式に応じた複数の機器情報を問合先システム毎に独立して管理する複数の問合先システムの各々に関する問合先情報を記憶する管理システムから、前記問合先情報を取得し、
前記型式に関する型式関連情報を取得し、
前記問合先情報が示す問合先システムの管理対象となる前記型式に関するリストの中に、前記型式関連情報が示す前記型式が存在するか否かの判定結果に基づいて、前記問合先情報が示す問合先システムから、前記機器情報を取得する、
機器情報取得方法。
【請求項１８】
電子機器の型式に応じた複数の機器情報を問合先システム毎に独立して管理する複数の問合先システムの各々に関する問合先情報を記憶する管理システムから、前記問合先情報を取得する問合先情報取得部、
前記型式に関する型式関連情報を取得する型式関連情報取得部、
前記問合先情報が示す問合先システムの管理対象となる前記型式に関するリストの中に、前記型式関連情報が示す前記型式が存在するか否かの判定結果に基づいて、前記問合先情報が示す問合先システムから、前記機器情報を取得する機器情報取得部、
としてコンピュータを機能させるためのプログラム。
【手続補正書】
【提出日】平成29年1月24日(2017.1.24)
【手続補正１】
【補正対象書類名】特許請求の範囲
【補正対象項目名】全文
【補正方法】変更
【補正の内容】
【特許請求の範囲】
【請求項１】
提供可能な産業機器の型式の組み合わせが地域ごとに異なる複数の地域の各々の問合先システムとデータ送受信可能な機器情報取得システムであって、
各地域の前記問合先システムは、当該地域で提供可能な型式に応じた機器情報を他の地域の前記問合先システムから独立して管理し、同じ型式が他の地域で提供可能だったとしても前記機器情報の内容を異ならせることが可能であり、
前記複数の地域の各々の前記問合先システムに関する問合先情報を記憶する管理システムと、
前記管理システムから、ユーザが属する地域の前記問合先情報を取得する問合先情報取得部と、
前記型式に関する型式関連情報を取得する型式関連情報取得部と、
前記問合先情報が示す問合先システムの地域で提供可能な前記型式に関するリストの中に、前記型式関連情報が示す前記型式が当該地域で提供可能なものとして登録されているか否かの判定結果に基づいて、前記問合先情報が示す問合先システムから、前記機器情報を取得することによって、他の地域の前記問合先システムが管理する同じ型式の前記機器情報とは内容の異なる前記機器情報を取得可能な機器情報取得部と、
を有する機器情報取得システム。
【請求項２】
前記複数の問合先システムの各々は、自身の管理対象となる前記型式に関する前記リストを記憶し、
前記機器情報取得部は、
前記問合先情報が示す問合先システムから、前記リストを取得するリスト取得部を更に有し、
前記リストの中に前記型式関連情報が示す前記型式が存在するか否かを判定し、存在すると判定した場合に、前記機器情報を取得する、
請求項１に記載の機器情報取得システム。
【請求項３】
前記リストが示す型式の中から、ユーザによる指定を受け付ける指定受付部を更に有し、
前記機器情報取得部は、前記ユーザにより指定された型式に基づいて前記機器情報を取得する、
請求項２に記載の機器情報取得システム。
【請求項４】
前記リスト取得部は、過去に取得した前記リストよりも、前記問合先システムから取得可能な前記リストの方が新しいと判定された場合に、前記問合先システムから、新しい当該リストを取得する、
請求項２又は３に記載の機器情報取得システム。
【請求項５】
前記機器情報取得部は、過去に取得した前記機器情報よりも、前記新しいリストに基づいて取得可能な前記機器情報の方が新しいと判定された場合に、前記問合先システムから、新しい当該機器情報を取得する、
請求項４に記載の機器情報取得システム。
【請求項６】
前記機器情報取得部は、前記型式が正規表現で記載された前記リストに基づいて前記機器情報を取得する、
請求項２〜５の何れかに記載の機器情報取得システム。
【請求項７】
前記機器情報取得部は、前記問合先情報が示す問合先システムに、前記リストの中に前記型式関連情報が示す前記型式が存在するか否かの判定と、存在すると判定された場合の前記機器情報の送信と、を依頼する、
請求項１に記載の機器情報取得システム。
【請求項８】
前記型式関連情報は、前記産業機器の個体識別情報であり、
前記機器情報取得部は、前記個体識別情報に基づいて、前記管理システムから、前記型式を示す情報を取得する型式情報取得部を含む、
請求項１〜７の何れかに記載の機器情報取得システム。
【請求項９】
前記型式関連情報は、前記型式を示す、
請求項１〜８の何れかに記載の機器情報取得システム。
【請求項１０】
前記型式関連情報取得部は、二次元コードに含まれる前記型式関連情報を取得する、
請求項１〜９の何れかに記載の機器情報取得システム。
【請求項１１】
前記複数の問合先システムの少なくとも１つを更に有する、
請求項１〜１０の何れかに記載の機器情報取得システム。
【請求項１２】
提供可能な産業機器の型式の組み合わせが地域ごとに異なる複数の地域の各々の問合先システムが、当該地域で提供可能な型式に応じた機器情報を他の地域の前記問合先システムから独立して管理し、同じ型式が他の地域で提供可能だったとしても前記機器情報の内容を異ならせることが可能である場合に、前記複数の地域の各々の前記問合先システムに関する問合先情報を記憶する管理システムから、ユーザが属する地域の前記問合先情報を取得する問合先情報取得部と、
前記型式に関する型式関連情報を取得する型式関連情報取得部と、
前記問合先情報が示す問合先システムの地域で提供可能な前記型式に関するリストの中に、前記型式関連情報が示す前記型式が当該地域で提供可能なものとして登録されているか否かの判定結果に基づいて、前記問合先情報が示す問合先システムから、前記機器情報を取得することによって、他の地域の前記問合先システムが管理する同じ型式の前記機器情報とは内容の異なる前記機器情報を取得可能な機器情報取得部と、
を有する機器情報取得装置。
【請求項１３】
提供可能な産業機器の型式の組み合わせが地域ごとに異なる複数の地域の各々の問合先システムが、当該地域で提供可能な型式に応じた機器情報を他の地域の前記問合先システムから独立して管理し、同じ型式が他の地域で提供可能だったとしても前記機器情報の内容を異ならせることが可能である場合に、前記複数の地域の各々の前記問合先システムに関する問合先情報を記憶する管理システムから、ユーザが属する地域の前記問合先情報を取得し、
前記型式に関する型式関連情報を取得し、
前記問合先情報が示す問合先システムの地域で提供可能な前記型式に関するリストの中に、前記型式関連情報が示す前記型式が当該地域で提供可能なものとして登録されているか否かの判定結果に基づいて、前記問合先情報が示す問合先システムから、前記機器情報を取得することによって、他の地域の前記問合先システムが管理する同じ型式の前記機器情報とは内容の異なる前記機器情報を取得可能とする、
機器情報取得方法。
【請求項１４】
提供可能な産業機器の型式の組み合わせが地域ごとに異なる複数の地域の各々の問合先システムが、当該地域で提供可能な型式に応じた機器情報を他の地域の前記問合先システムから独立して管理し、同じ型式が他の地域で提供可能だったとしても前記機器情報の内容を異ならせることが可能である場合に、前記複数の地域の各々の前記問合先システムに関する問合先情報を記憶する管理システムから、ユーザが属する地域の前記問合先情報を取得する問合先情報取得部、
前記型式に関する型式関連情報を取得する型式関連情報取得部、
前記問合先情報が示す問合先システムの地域で提供可能な前記型式に関するリストの中に、前記型式関連情報が示す前記型式が当該地域で提供可能なものとして登録されているか否かの判定結果に基づいて、前記問合先情報が示す問合先システムから、前記機器情報を取得することによって、他の地域の前記問合先システムが管理する同じ型式の前記機器情報とは内容の異なる前記機器情報を取得可能な機器情報取得部、
としてコンピュータを機能させるためのプログラム。
【国際調査報告】
2015194051.tif 000014
2015194051.tif 000015
2015194051.tif 000016
2015194051.tif 000017